(57)【要約】【課題】複数枚の非接触券を効率よく処理できるようにした非接触式自動改札機を提供する。【解決手段】非接触券に記録されているデータを読取る読取手段と、読取られたデータ中から前記非接触券が他の非接触券と組合わされて使用されることを示す所定の組合せデータを抽出する抽出手段と、所定の組合せデータが抽出されたときに、前記非接触券から読取られたデータ及び他の非接触券から読取られたデータに基づいて所定の入出場処理を行う処理制御手段とを有する。【選択図】      図３
2004348329.tif 000002
【特許請求の範囲】
【請求項１】
非接触式自動改札機で使用される無線通信機能を備えたＩＣカードからなる非接触券であって、
前記非接触券の本体のメモリに、その非接触券の本体が他の非接触券の本体と組合わされて使用されることを示す所定の組合せデータを記憶する組合せデータ記憶部を設けたことを特徴とする非接触券。
【請求項２】
非接触券に記録されているデータを読取る読取手段と、
読取られたデータ中から前記非接触券が他の非接触券と組合わされて使用されることを示す所定の組合せデータを抽出する抽出手段と、
所定の組合せデータが抽出されたときに、前記非接触券から読取られたデータ及び他の非接触券から読取られたデータに基づいて所定の入出場処理を行う処理制御手段と、
を有することを特徴とする非接触券を処理する非接触式自動改札機。
【請求項３】
請求項２に記載の非接触式自動改札機において、非接触券に記録されているデータは、定期券データ及びＳＦデータであることを特徴とする非接触券を処理する非接触式自動改札機。
【発明の詳細な説明】
【０００１】
【発明の属する技術分野】
本発明は、非接触券及びその非接触券を処理する非接触式自動改札機に係り、特に、一人の利用者が複数枚の非接触券を使用することのできるようにしたものに関する。
【０００２】
【従来の技術】
近年、首都圏を中心とした鉄道においては、利用者（旅客）の利便向上を図るために、乗車券を無線通信機能を備えたＩＣカードからなる非接触券とし、改札口にこの非接触券を処理することのできる非接触式自動改札機が設置されるようになってきている。
【０００３】
改札口に設置される非接触式自動改札機は、利用者によって非接触券が非接触式自動改札機の本体に設けられているアンテナに軽くタッチされ、又はそのアンテナにかざされると（以下、タッチで説明する。）、非接触券と非接触式自動改札機の本体との間でデータ授受が行われるように構成されている。そして、非接触式自動改札機の本体では、非接触券から得られた定期券データやＳＦデータ（ストアードフェアデータ（残額データ））等のカードデータに基づいて入出場（入場又は出場を意味している。）のための所定の演算処理が行われ、その演算処理の結果、入出場を許可できるときは、ドアが開かれて（非接触式自動改札機の本体がノーマルオープン型のときはそのまま）、改札通路の通過が許可され、その演算処理の結果、入出場を許可できないときは、ドアが閉じられて改札通路の通過が阻止されるように構成されている（特許文献１参照。）。
【０００４】
【特許文献１】特開２００３−９９８１７号公報
【０００５】
【発明が解決しようとする課題】
ところで、上記非接触券は、その非接触券の本体のメモリ内に定期券データが記憶されているので、非接触券が定期券として使用されるが、路線形態や乗車区間によっては、定期券を２枚以上に分けた方が全体としての定期料金が安くなったり、利用者の使い勝手が向上することがある。このため、従来の磁気券からなる定期券の場合、一人の利用者が複数枚の定期券を利用することがあった。
【０００６】
しかしながら、一人の利用者が複数枚の非接触券を使用する場合は、磁気券からなる定期券のように、前に投入した定期券を自動改札機の本体内に保留しておき、次の定期券の投入を待つということができないので、一人の利用者が複数枚の非接触券を用いて入出場することができないという欠点があった。すなわち、一人の利用者が複数枚の非接触券を使用する場合は、１枚の非接触券がアンテナにタッチされるとほぼ同時に、そのタッチされた非接触券の有効性が判定され、その非接触券で入出場が許可できないときは、他の非接触券の処理を待つことなく、即、ドアか閉じられて入出場が拒否されてしまうので、一人の利用者が複数枚の非接触券を用いることができないという不都合があった。
【０００７】
そこで、本発明は、上記欠点を解決するためになされたものであって、その目的は、一人の利用者が複数枚使用可能な非接触券を提供するとともに、その複数枚の非接触券を使用することのできる非接触券を処理する非接触式自動改札機を提供することにある。
【０００８】
【課題を解決するための手段】
本発明に係る非接触券は、上記目的を達成するために、請求項１に記載の発明は、非接触式自動改札機で使用される無線通信機能を備えたＩＣカードからなる非接触券であって、前記非接触券の本体のメモリに、その非接触券の本体が他の非接触券の本体と組合わされて使用されることを示す所定の組合せデータを記憶する組合せデータ記憶部を設けたことを特徴としている。
本発明に係る非接触券を処理する非接触式自動改札機は、上記目的を達成するために、請求項２に記載の発明は、非接触券に記録されているデータを読取る読取手段と、読取られたデータ中から前記非接触券が他の非接触券と組合わされて使用されることを示す所定の組合せデータを抽出する抽出手段と、所定の組合せデータが抽出されたときに、前記非接触券から読取られたデータ及び他の非接触券から読取られたデータに基づいて所定の入出場処理を行う処理制御手段と、を有することを特徴としている。
本発明の請求項３に記載の非接触券を処理する非接触式自動改札機は、非接触券に記録されているデータは、定期券データ及びＳＦデータであることを特徴としている。
【０００９】
【発明の実施の形態】
以下、本発明の実施の形態を図面に基づいて説明する。図１は、本発明に係る非接触式自動改札機の本体（以下、「改札機本体」という。）Ｇを構成する一対の筐体のうちの一方の筐体Ｈの斜視図である。この筐体Ｈの上面には、非接触券の本体（以下、非接触券の本体を含めて非接触券として説明する。）Ｃ１  ，Ｃ２  と交信するためのアンテナａが設けられている。
【００１０】
筐体Ｈの改札通路Ｐの入口側には、改札機本体Ｇの使用状態、つまり改札通路Ｐを通過できるか否かを利用者に報知するための表示部１が設けられている。また、図１中、Ｓ，Ｓ…は、改札通路Ｐへの利用者の進入、又はその改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボック２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１１】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１  ，Ｄ２  がそれぞれ設けられている。また、筐体Ｈの上面のほぼ中央部には、利用者に対して文字により所定の案内を行うための表示画面４が取付けられている。
【００１２】
図１中、５は、改札機本体Ｇの動作を司どる制御器であり、マイクロコンピュータを中心に構成されている。そして、この制御器５には、非接触券Ｃ１  ，Ｃ２  との間でデータの授受を行うための上述のアンテナａを接続したリーダライタＲ（後述の図２参照）が接続されている。
【００１３】
図２は、制御器５及び非接触券Ｃ１  ，Ｃ２  の電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１  ，Ｄ２  を駆動制御するドア駆動ユニット２４と、スピーカ３を駆動制御する音声駆動ユニット２５と、人間検知器Ｓ，Ｓ…、Ｓ′，Ｓ′…の検知信号を入力するための人間検知器ユニット２６とが接続されている。なお、Ｉ／Ｏユニット２３には、表示画面４を駆動する表示画面駆動ユニット等も接続されているが、ここでは省略されている。
【００１４】
リーダライタＲには、非接触券Ｃ１  ，Ｃ２  と交信を行うためのアンテナａが接続されている。このアンテナａは、非接触券Ｃ１  ，Ｃ２  とデータ授受を行う機能と、非接触券Ｃ１  ，Ｃ２  に電力を供給する機能とが備えられている。
【００１５】
各非接触券Ｃ１  ，Ｃ２  は同一構成であるので、非接触券Ｃ１  を例に説明すると、この非接触券Ｃ１  は、、無線通信機能を有するＩＣカードと同様に構成されている。すなわち、この非接触券Ｃ１  には、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ＳＦデータ及びカードＩＤデータ等の所定のカードデータの記憶されているメモリ３３と、改札機本体Ｇからの電力波をアンテナＡを介して受信し、非接触券Ｃ１  の駆動電力を生成する電力生成回路３４とを有している。上記メモリ３３には、非接触券Ｃ１  の識別情報（ＩＤ番号）が記憶されている以外に、そのメモリ３３の定期券データ記憶部ｍ１  には、非接触券Ｃ１  が定期券として使用されるための乗車区間や有効期間等の所定の定期券データが記憶され、ＳＦデータ記憶部ｍ２  には、非接触券Ｃ１  が定期券の乗車区間外（定期券データが有効期間切れ等により無効券のときは、定期券の乗車区間内も含む。）で使用されたときに、乗車運賃を減額処理する普通乗車券の機能を有するＳＦデータ（金額データ）が記憶されている。
【００１６】
メモリ３３の組合せデータ記憶部ｍ３  は、非接触券Ｃ１  が他の非接触券（図示の例では非接触券Ｃ２）と組合わされて使用されることを示す所定の組合せデータが記憶されている。この所定の組合せデータは、非接触券Ｃ１  を新たに購入するときに利用者の申出により、又は、非接触券Ｃ１  を自動券売機等に組込まれている金額積増機を用いて更新処理（積増処理）するときに記憶される。
【００１７】
以下、図３（ａ），（ｂ）のフローチャート及び図４の路線図を用いて制御動作について説明する。今、利用者は、図４に示されるような甲駅及び乙駅間を定期券乗車区間とする定期券データを有する非接触券Ｃ１  と、乙駅及び丙駅間を定期券乗車区間とする定期券データを有する非接触券Ｃ２  を所持し、甲駅から入場（乗車）しようとしているものとする。なお、これら両非接触券Ｃ１  ，Ｃ２  には、上述したように、組合せデータ記憶部ｍ３  に他の非接触券と組合わされて使用されることを示す所定の組合せデータがそれぞれ記憶されている。
【００１８】
利用者が甲駅に設置されている改札機本体Ｇのアンテナａに非接触券Ｃ１  をタッチすると、その非接触券Ｃ１  と改札機本体Ｇとの間で交信が開始され（ステップ１００肯定。以下、ステップを「Ｓ」とする。）、改札機本体Ｇ（制御器５）により非接触券Ｃ１  に記録されているデータ（カードデータ）が読取られて、ＣＰＵ２０による入場用の所定の演算処理が行われる（Ｓ１０２）。
【００１９】
その演算処理の結果、入場を許可できるときは（Ｓ１０４肯定）、ドアＤ１  が開かれて（改札機本体Ｇがノーマルオープン型のときはそのまま）、利用者の改札通路Ｐの通過が許可されるとともに、非接触券Ｃ１  のメモリ３３の図示しない入場データ記憶部に、甲駅から入場したことを示す所定の入場データ（甲駅を示すデータ及び入場日時データ）の記憶される一連の入場処理が行われる（Ｓ１０６）。
【００２０】
なお、図３（ａ）のフローチャートでは省略されているが、非接触券Ｃ１  の定期券データの有効期間が切れているようなときで、非接触券Ｃ１  が定期券として無効券と判定されたときは、その非接触券Ｃ１  に記録されているＳＦデータを用いた入場処理が行われる。この場合、非接触券Ｃ１  のＳＦデータの残額も甲駅からの入場を許可できない金額のときは、スピーカ３及び表示画面４を介して非接触券Ｃ２  の使用案内が行われる。この案内に従って利用者が非接触券Ｃ２  をアンテナａにタッチすると、その非接触券Ｃ２  と改札機本体Ｇとの間で交信が行われ、非接触券Ｃ２  に記録されているＳＦデータを用いた入場処理が行われる。
【００２１】
このように、非接触券Ｃ１  には、他の非接触券と組合せて使用することを示す組合せデータが記憶されているので、その非接触券Ｃ１  のＳＦデータで入場できないときに他の非接触券（図示の例では非接触券Ｃ２  ）の使用を促すことができるので、利用者の使い勝手を向上させることができる。もちろん、非接触券Ｃ２  のＳＦデータを用いても甲駅からの入場を許可できないときは、ドアＤ１  が閉じられて入場が拒否され、スピーカ３及び表示画面４を介して残額不足等の所定の案内が行われる（Ｓ１０４否定）。
【００２２】
利用者が非接触券Ｃ１  をアンテナａにタッチすることなく先に非接触券Ｃ２  をアンテナａにタッチしたときは（Ｓ１００否定）、その非接触券Ｃ２  と改札機本体Ｇとの間で交信が開始され（Ｓ１０８肯定）、非接触券Ｃ２  のカードデータが読取られる（Ｓ１１０）。この読取られたデータを基にしたＣＰＵ２０の演算処理の結果、非接触券Ｃ２  は他の非接触券（図示の例では非接触券Ｃ１  ）と組合わされて使用されることが検出されるので、即、入場拒否とはならず、甲駅からの入場可能な他の非接触券（図示の例では非接触券Ｃ１  ）の使用案内がスピーカ３及び表示画面４を介して案内される（Ｓ１１２）。
【００２３】
上述の入場処理は、非接触券Ｃ１  の定期券区間内の甲駅からの入場の例であるが、非接触券Ｃ１  の定期券区間外のイ駅（図４参照）から入場するときは、非接触券Ｃ１  又は非接触券Ｃ２  に記録されているＳＦデータを用いて入場処理が行われる。
【００２４】
次に、利用者が図４の丙駅から出場するときの制御動作について説明する。丙駅で降車した利用者がその丙駅に設置されている改札機本体Ｇのアンテナａに非接触券Ｃ１  をタッチすると、その非接触券Ｃ１  と改札機本体Ｇ（制御器５）との間で交信が開始され（Ｓ２００肯定）、非接触券Ｃ１  に記録されているデータ（カードデータ）が読取られる（Ｓ２０２）。その読取られたデータを基にしたＣＰＵ２０の出場用の所定の演算処理の結果、非接触券Ｃ１  は他の非接触券（図示の例では非接触券Ｃ２  ）と組合わされて使用されることが検出されるので、スピーカ３及び表示画面４を介して他の非接触券（非接触券Ｃ２）の使用案内が行われる（Ｓ２０４）。その案内に従って非接触券Ｃ２  がアンテナａにタッチされると（Ｓ２０６肯定）、改札機本体Ｇにより非接触券Ｃ２  に記録されているデータ（カードデータ）が読取られる（Ｓ２０８）。ＣＰＵ２０では、両非接触券Ｃ１  ，Ｃ２  から読取られたデータを基にした所定の出場処理が行われる（Ｓ２１０）。すなわち、ＣＰＵ２０では、非接触券Ｃ１  から読取られた入場データ及び両非接触券Ｃ１  ，Ｃ２  の連続性を基にした出場用の所定の演算処理が行われ、出場を許可できるときは、ドアＤ１  が開かれて非接触券Ｃ１  ，Ｃ２  に所定の出場データ（丙駅を示すデータ及び出場日時データ）が記憶される。もちろん、出場を許可できないとき、例えば、非接触券Ｃ２  の定期券の有効期間が経過し、さらに、両非接触券Ｃ１  ，Ｃ２  のＳＦデータの残額が丙駅から出場するのに不足するときは、ドアＤ１  が閉じられてスピーカ３及び表示画面４を介して精算案内等の所定の案内が行われる。
【００２５】
上述の出場制御動作の説明は、非接触券Ｃ１  が非接触券Ｃ２  よりも先にアンテナａにタッチされたときであるが、非接触券Ｃ２  が先にアンテナａにタッチされたときは（Ｓ２００否定、Ｓ２１２肯定）、非接触券Ｃ２  に記録されているカードデータが先に読取られ、次いで、非接触券Ｃ１  に記録されているカードデータが読取られて上述と同様な出場処理が行われる（Ｓ２１４〜Ｓ２２０）。
【００２６】
なお、両非接触券Ｃ１  ，Ｃ２  は、上述のように、別々にアンテナａにタッチしてもよいが、両非接触券Ｃ１  ，Ｃ２  を手に持って同時にアンテナａにタッチしてもよい。この場合でも、制御器５（リーダライタＲ）は、先に交信された非接触券（Ｃ１  又はＣ２）と交信後に残りの非接触券（Ｃ２  又はＣ１  ）と交信し、混信を防止しながらデータ授受が行われる。このように、両非接触券Ｃ１  ，Ｃ２  をアンテナａに同時にタッチしたときは、残りの非接触券の使用案内は省略される。
【００２７】
図３（ｂ）のフローチャートでは省略されているが、利用者が非接触券Ｃ１  の定期券区間外のロ駅（図４参照）から出場したときは、丙駅からロ駅間での乗車区間の料金（運賃）が非接触券Ｃ２  のＳＦカードから減額されて出場処理が行われる。なお、非接触券Ｃ２  のＳＦカードの残額が不足するときは非接触券Ｃ１  のＳＦカードから減額される。もちろん、両非接触券Ｃ１  ，Ｃ２  のＳＦカードの残額でも不足するときは、ドアＤ１  が閉じられて出場が拒否され、スピーカ３及び表示画面４を介して精算案内が行われる。
【００２８】
なお、上述の例では、非接触券の枚数を２枚としたが、３枚以上であってもよいことはもちろんである。
【００２９】
【発明の効果】
本発明の請求項１に記載の非接触券は、非接触券のメモリに、その非接触券が他の非接触券と組合わされて使用されることを示す所定の組合せデータを記憶する組合せデータ記憶部を設けたので、複数枚の非接触券を組合せて使用することが可能となり、利用者の使い勝手を向上させることができる。
本発明の請求項２に記載の非接触券を処理する非接触式自動改札機は、非接触券に記録されているデータを読取る読取手段と、読取られたデータ中から前記非接触券が他の非接触券と組合わされて使用されることを示す所定の組合せデータを抽出する抽出手段と、所定の組合せデータが抽出されたときに、前記非接触券から読取られたデータ及び他の非接触券から読取られたデータに基づいて所定の入出場処理を行う処理制御手段とを有するので、複数枚の非接触券を組合せて使用することが可能となり、利用者の使い勝手を向上させることができる。
本発明の請求項３に記載の非接触券を処理する非接触式自動改札機は、非接触券に記録されているデータは、定期券データ及びＳＦデータであるので、定期券区間外でもＳＦデータを用いて処理することができる。
【図面の簡単な説明】
【図１】本発明の一実施の形態に係る改札機本体を構成する一対の筐体のうちの一方の筐体の斜視図である。
【図２】制御器及び非接触券のブロック図である。
【図３】制御動作を示すフローチャートである。
【図４】制御動作を示す説明図である。
【符号の説明】
Ｇ  非接触式自動改札機の本体（改札機本体）
Ｈ  筐体
Ｄ１  ，Ｄ２    ドア
Ｐ  改札通路
Ｓ，Ｓ′  人間検知器
ａ  アンテナ
５  制御器
２  センサ取付ボックス
３  スピーカ
４  表示画面
Ｃ１  ，Ｃ２    非接触券
ｍ１    定期券データ記憶部
ｍ２    ＳＦデータ記憶部
ｍ３    組合せデータ記憶部
【図１】
2004348329.tif 000003
【図２】
2004348329.tif 000004
【図３】
2004348329.tif 000005
【図４】
2004348329.tif 000006